(57)【要約】【課題】ガイドに案内され、揺れることなく左右にスライド自在に移動する上吊り引き戸の点検、交換等を容易に行える上吊り引き戸の下ガイドの構造を提供する。【解決手段】引き戸枠５の上枠５１に内設された吊り戸用レール５１１に引き戸４の上端部を走行自在に吊り下げる引き戸の下ガイドの構造であって、該上吊り引き戸４の下端部４２長手方向に内設されたガイド溝４２１がガイド部材Ａによってスライド自在に案内されるとともに、該ガイド部材Ａは引き戸枠５の下枠５２に固定されたベース部２と該ベース部２に着脱自在に結合されるカバー部１とからなり、該カバー部１にはガイドピン１１が突設された上吊り引き戸の下ガイドの構造。【選択図】図１
2007308910.tif 000002
【特許請求の範囲】
【請求項１】
引き戸枠の上枠に内設された吊り戸用レールに引き戸の上端部を走行自在に吊り下げる引き戸の下ガイドの構造であって、該上吊り引き戸の下端部長手方向に内設されたガイド溝がガイド部材によってスライド自在に案内されるとともに、該ガイド部材は引き戸枠の下枠に固定されたベース部と該ベース部に着脱自在に結合されるカバー部とからなり、該カバー部にはガイドピンが突設された上吊り引き戸の下ガイドの構造。
【請求項２】
上記カバー部とベース部とがタッピングビスにより着脱自在に結合される請求項１に記載の上吊り引き戸の下ガイドの構造。
【請求項３】
上記カバー部がベース部の長手方向にスライド自在に装着される請求項１に記載の上吊り引き戸の下ガイドの構造。
【発明の詳細な説明】
【技術分野】
【０００１】
本発明は、上吊り引き戸に関する。さらに詳しくは、上吊り方式の引き戸の下ガイドの構造に関する。
【背景技術】
【０００２】
従来から、上吊り引き戸は、例えば、浴室と脱衣室とを仕切る間仕切り等として用いられ、例えば下記特許文献１には、浴室引き戸の防水構造に関し、上吊り方式の浴室引き戸の閉位置において引き戸と下枠との隙間をパッキン材にて確実にシールできるとともに、引き戸の走行時に開閉操作力を安定させることができる浴室引き戸の防水構造が開示されている。
【０００３】
上記以外にも、部屋と部屋との間仕切りや、部屋を区切るためのパーティション、その他種々の用途に用いられる。すなわち、本願図５に示す部分破断斜視図のように、公知の上吊り方式の引き戸４は、引き戸枠５の上枠５１に内設された吊り戸用レール５１１に引き戸４の上端部に設けたローラ４１が走行自在に吊り下げられ、引き戸枠５の下枠５２には、係合ピン６１を備えたガイド６が固定されるとともに、この係合ピン６１は、引き戸４の下端部４２に内設されたガイド溝４２１にスライド自在に遊嵌合する。
【０００４】
このようにして、上記引き戸４は上記係合ピン６１がガイド溝４２１を案内することによって揺れることなく左右にスライド自在に移動し、容易に部屋の間仕切り等を行うことができる。しかしながら、上記引き戸４を点検したり、交換するときは本願図６に示すように、引き戸４をまず、右側に寄せて固定用ビス７３を抜き、ついで左側に寄せて固定用ビス７４を抜いてガイド６を取り外す必要がある。その後、引き戸４を手前または向こう側に押して傾けた後、上記引き戸４の上端部に設けたローラ４１を吊り戸用レール５１１から外さなければならず、手間のかかる作業を必要とする。
【特許文献１】特開２００３−２７８４３３号公報（第１〜３頁、第１図、第２図）
【発明の開示】
【発明が解決しようとする課題】
【０００５】
本発明は上記問題点を解決して、上吊り引き戸の下端部長手方向に内設されたガイド溝がガイド部材に案内され、上記引き戸が揺れることなく左右にスライド自在に移動できるとともに、上吊り引き戸の点検、交換等を容易に行うことを可能とする上吊り引き戸の下ガイドの構造を提供することを、その課題とする。
【課題を解決するための手段】
【０００６】
上記課題を解決するために、本発明においては、つぎのような技術的手段を講じている。すなわち、請求項１に記載の発明によれば、引き戸枠の上枠に内設された吊り戸用レールに引き戸の上端部を走行自在に吊り下げる引き戸の下ガイドの構造であって、該上吊り引き戸の下端部長手方向に内設されたガイド溝がガイド部材によってスライド自在に案内されるとともに、該ガイド部材は引き戸枠の下枠に固定されたベース部と該ベース部に着脱自在に結合されるカバー部とからなり、該カバー部にはガイドピンが突設された上吊り引き戸の下ガイドの構造が提供される。上記下枠は部屋と部屋とを仕切る敷居の部位に埋め込んで用いてもよく、あるいは下枠として床面そのものを用い、床面にベース部を直接固定してもよい。
【０００７】
請求項２に記載の上吊り引き戸の下ガイドの構造は、請求項１に記載の発明に加えて、上記カバー部とベース部とがタッピングビスにより着脱自在に結合されることが好ましい。
【０００８】
請求項３に記載の上吊り引き戸の下ガイドの構造は、請求項１に記載の発明に加えて、上記カバー部がベース部の長手方向にスライド自在に装着されることが好ましい。
【発明の効果】
【０００９】
請求項１に記載の発明にかかる上吊り引き戸の下ガイドの構造は上記のとおりであり、上吊り引き戸の下端部長手方向に内設されたガイド溝がガイド部材によってスライド自在に案内されるため、上記引き戸が揺れることなく左右にスライド自在に移動して部屋の間仕切りや、パーティション等種々の用途に使用される。また、上記ガイド部材は引き戸枠の下枠に固定されたベース部と該ベース部に着脱自在に結合され、ガイドピンが突設されたカバー部とからなり、上記ベース部とカバー部とが一体的となり、普通の立ち位置からは上吊り引き戸の下に隠れて見えず意匠性の優れたものとすることができる。
【００１０】
請求項２に記載の上吊り引き戸の下ガイドの構造は上記のとおりであり、請求項１の上吊り引き戸の下ガイドの構造の有する効果に加え、上記カバー部とベース部とがタッピングビスにより着脱自在に結合されるため、タッピングビスの螺合を解除して上記カバー部とベース部とを分離し、上吊り引き戸の下端を手前または向こう側に押して傾けることにより、容易に引き戸を外すことが可能となり、点検、交換等を容易に行うことができる。
【００１１】
請求項３に記載の上吊り引き戸の下ガイドの構造は上記のとおりであり、請求項１の上吊り引き戸の下ガイドの構造の有する効果に加え、上記カバー部がベース部の長手方向にスライド自在に装着されるため、タッピングビスの螺合を解除すれば、カバー部はスライド可能となり、下枠の長手方向に移動してカバー部をベース部から簡単に分離することができる。そのため、上吊り引き戸の下端を手前または向こう側に押して傾けることにより、容易に引き戸を外すことが可能となり、点検、交換等を容易に行うことができる。
【発明を実施するための最良の形態】
【００１２】
以下、本発明の実施形態について図面を参照して詳細に説明する。図１はカバー部１とベース部２とからなる本発明にかかるガイド部材Ａを示す分解斜視図である。図１に示すように、上記カバー部１のカバーベース１２にはガイドピン１１が突設されるとともに、脚部１３には挿通孔１４が穿たれ、ベース部２には固定用ビス孔２１が設けられている。また、ベース部２の長手方向側部には雌ネジ２２が螺刻されている。
【００１３】
図２は上記固定用ビス７１、７２によって引き戸枠５の下枠５２にビス固定されたベース部２にカバー部１を装着する状態を示す説明図である。図２に示すようにカバー部１でベース部２を覆うように装着し、挿通孔１４と連通する雌ネジ２２にタッピングビス３を螺合することによってカバー部１はベース部２に着脱自在に結合される。図３は、本発明にかかるガイド部材Ａと上記ガイド部材Ａによってスライド自在に案内され、図５に記載したガイド溝４２１を内設する上吊り方式の引き戸４を示す部分斜視図である。図３に示されているように、上記ガイド部材Ａはベース部２にカバー部１を装着して一体的に構成されているため、普通の立ち位置からは上吊り引き戸４の下に隠れて見えず意匠性の向上したものとすることができる。
【００１４】
図４は、上記ガイド部材Ａのカバー部１とベース部２とを分離し、本発明にかかる上吊り引き戸の下ガイドの構造を用いて引き戸４を点検したり、交換する状態を示す説明図である。図４に示すように、タッピングビス３の螺合を解除することにより、カバー部１はベース部２の長手方向に沿ってスライドし、カバー部１をベース部２から簡単に分離することができる。このようにしてカバー部１とベース部２とを分離した後、上吊り引き戸４の下端を手前または向こう側に押して傾け、カバー部１のガイドピン１１を図５に記載したガイド溝４２１から外すことにより、引き戸４の下端部はフリーとなり、引き戸４の点検、交換等を容易に行うことができる。
【００１５】
引き戸４を元の状態に戻すには上記と逆の操作を行えばよい。すなわち、カバー部１のガイドピン１１を上記ガイド溝４２１に遊嵌合し、スライド移動させてベース部２に装着し、タッピングビス３を雌ネジ２２に螺合する。このようにすることにより、カバー部１とベース部２とは再び一体化し、引き戸４はガイドピン１１に案内され、揺れることなく左右にスライド自在に移動できる。また、上記上吊り引き戸４の点検、交換等を容易に行える。
【００１６】
なお、上記実施形態では、ガイド部材Ａを引き戸枠５の下枠５２に装着するものであるが、該下枠５２を採用せずガイド部材Ａを床面に直接装着してもよい。従って、本明細書において、下枠５２は床面を含む意味である。
【図面の簡単な説明】
【００１７】
【図１】本発明にかかるガイド部材を示す分解斜視図である。
【図２】ビス固定された本発明にかかるガイド部材のベース部にカバー部を装着する状態を示す説明図である。
【図３】本発明にかかるガイド部材によってスライド自在に案内される上吊り方式の引き戸を示す部分斜視図である。
【図４】本発明にかかる上吊り引き戸の下ガイドの構造を用いて引き戸を点検、交換する状態を示す説明図である。
【図５】公知の上吊り方式の引き戸を示す部分破断斜視図である。
【図６】公知の上吊り方式の引き戸のガイドの取り外し方法を示す説明図である。
【符号の説明】
【００１８】
Ａ          本発明にかかるガイド部材
１          カバー部
１１        ガイドピン
１２        カバーベース
１３        脚部
１４        挿通孔
２          ベース部
２１        固定用ビス孔
２２        雌ネジ
３          タッピングビス
４          引き戸
４１        ローラ
４２        下端部
４２１      ガイド溝
５          引き戸枠
５１        上枠
５１１      吊り戸用レール
５２        下枠
６          公知のガイド
６１        係合ピン
７１、７２  固定用ビス
７３、７４  固定用ビス
【図１】
2007308910.tif 000003
【図２】
2007308910.tif 000004
【図３】
2007308910.tif 000005
【図４】
2007308910.tif 000006
【図５】
2007308910.tif 000007
【図６】
2007308910.tif 000008